(57)【要約】【課題】簡素な構成で幕板を上方位置と下方位置とで切り換え可能とするとともに、幕板を上方位置に保持可能とする幕板付き折り畳みテーブルを提供すること。【解決手段】脚体３よりも背面側の天板２の下部に、背面側に向けて延設された幕板取付部１８を有し、幕板２の下部は、脚体３に下部リンク部材１８を介して枢支されるとともに、幕板２の上部は、幕板取付部１８の下部に上部リンク部材１９ａを介して枢支され、幕板２は、略垂直をなして脚体３の背面側を覆う上方位置と、上方位置から下方に向けて揺動された下方位置と、で揺動自在とされており、幕板取付部１８の上部には、背面側に向けて開口する弾性片２１ｂを備える保持部２１が配置され、保持部２１は上部リンク部材１９ａを背面側に向けて着脱可能に保持すること。【選択図】図４
2010136996.tif 000002
【特許請求の範囲】
【請求項１】
天板と、該天板の左右端部に取り付けられる支持ブラケットと、該支持ブラケットを介して前記天板を支持する脚体と、該脚体の背面側を覆うように前記天板下方に配置された幕板と、を備え、前記支時ブラケットは、前記天板を略水平をなす使用位置と、略垂直をなす折り畳み位置と、の間で回動可能に枢支した幕板付き折り畳みテーブルであって、
前記脚体よりも背面側の前記天板の下部に、背面側に向けて延設された幕板取付部を有し、前記幕板の下部は、前記脚体に下部リンク部材を介して枢支されるとともに、該幕板の上部は、前記幕板取付部の下部に上部リンク部材を介して枢支され、前記幕板は、略垂直をなして前記脚体の背面側を覆う上方位置と、該上方位置から下方に向けて揺動された下方位置と、で揺動自在とされており、前記幕板取付部の上部には、背面側に向けて開口する弾性片を備える保持部が配置され、該保持部は前記上部リンク部材を背面側に向けて着脱可能に保持することを特徴とする幕板付き折り畳みテーブル。
【請求項２】
前記上部リンク部材と前記幕板取付部とが対向して配置され、前記幕板取付部における前記上部リンク部材と対向する側に前記保持部が設けられるとともに、前記上部リンク部材における前記幕板取付部と対向する側に前記保持部に保持される被保持軸が設けられていることを特徴とする請求項１に記載の幕板付き折り畳みテーブル。
【請求項３】
前記幕板には、正面側に向かって枢支片が延設されており、該枢支片は、前記上部リンク部材に前記被保持軸と同一軸心上で枢支されることを特徴とする請求項２に記載の幕板付き折り畳みテーブル。
【請求項４】
前記枢支片は、前記上部リンク部材に形成されて該枢支片と略同一の幅寸法を有する溝部内に挿通枢支されていることを特徴とする請求項３に記載の幕板付き折り畳みテーブル。
【発明の詳細な説明】
【技術分野】
【０００１】
本発明は、天板を、略水平をなす使用位置と、略垂直をなす折り畳み位置と、の間で回動可能に枢支した折り畳みテーブルに係り、特に、着座者の足を隠すための幕板が設けられた幕板付き折り畳みテーブルに関する。
【背景技術】
【０００２】
従来、天板と、この天板を左右端部から支持して天板を前後方向に回動可能に枢支する支柱（脚体）と、天板の下方及び支柱の背面側で支柱の背面側を覆うように取り付けられた幕板と、を備え、不使用時には、天板を略垂直となるように回動させて場所を取らずに収納できる幕板付き折り畳みテーブルがある。このような幕板付き折り畳みテーブルでは、支柱の背面側における天板下方に配線ダクトが配置されており、幕板は上部リンク（上部リンク部材）及び下部リンク（下部リンク部材）を介して支柱に対して上下方向に揺動可能に枢支されているとともに、支柱の背面側における天板下方にて、上端部を天板に回動可能に枢支された支持杆の下端部が、上部リンクに移動可能に係合され、上部リンクには、支持杆の下端部の移動可能と移動不可能とを切り換え可能なラッチが枢支され、このラッチが幕板側に向けて付勢されており、使用者がラッチを操作することによって、上方（上方位置）に配置された幕板を下方（下方位置）に移動させることで、配線ダクトでのコードの接続等の作業を行い易くしているものがある（例えば、特許文献１参照）。
【０００３】
【特許文献１】特開２００７−１３０３２２号公報（第５頁、第３図）
【発明の開示】
【発明が解決しようとする課題】
【０００４】
しかしながら、特許文献１に記載の幕板付き折り畳みテーブルにあっては、ラッチが付勢力を有するバネを備えるため、その部品数が嵩んでしまい、かつ上部リンク（上部リンク部材）にラッチを取り付ける際には、支柱の背面側の天板下方にて、ラッチの取り付けを行わなければならないばかりか、支柱の背面側の天板下方には、幕板付き折り畳みテーブルを構成する多くの部材が集中しているためにラッチが取り付け難いという問題がある。
【０００５】
本発明は、このような問題点に着目してなされたもので、天板の下面と幕板の上部との間の間隔を拡張させて配線ダクトへの配線を行えるようにした幕板付き折り畳みテーブルにおいて、簡素な構成で幕板を上方位置と下方位置とで切り換え可能とするとともに、幕板を上方位置に保持可能とする幕板付き折り畳みテーブルを提供することを目的とする。
【課題を解決するための手段】
【０００６】
前記課題を解決するために、本発明の請求項１に記載の幕板付き折り畳みテーブルは、
天板と、該天板の左右端部に取り付けられる支持ブラケットと、該支持ブラケットを介して前記天板を支持する脚体と、該脚体の背面側を覆うように前記天板下方に配置された幕板と、を備え、前記支時ブラケットは、前記天板を略水平をなす使用位置と、略垂直をなす折り畳み位置と、の間で回動可能に枢支した幕板付き折り畳みテーブルであって、
前記脚体よりも背面側の前記天板の下部に、背面側に向けて延設された幕板取付部を有し、前記幕板の下部は、前記脚体に下部リンク部材を介して枢支されるとともに、該幕板の上部は、前記幕板取付部の下部に上部リンク部材を介して枢支され、前記幕板は、略垂直をなして前記脚体の背面側を覆う上方位置と、該上方位置から下方に向けて揺動された下方位置と、で揺動自在とされており、前記幕板取付部の上部には、背面側に向けて開口する弾性片を備える保持部が配置され、該保持部は前記上部リンク部材を背面側に向けて着脱可能に保持することを特徴としている。
この特徴によれば、保持部は弾性片を弾性変形させることによって上部リンク部材を着脱可能とすることができるので、幕板付き折り畳みテーブルは、幕板を上方位置に保持するためのロック機構等を設ける必要が無くなり、かつ幕板取付部の下部で上部リンク部材を枢支するとともに、幕板取付部の上部で上部リンク部材を保持することによる簡素な構造として幕板の上方位置と下方位置とを切り換えることができる。
【０００７】
本発明の請求項２に記載の幕板付き折り畳みテーブルは、請求項１に記載の幕板付き折り畳みテーブルであって、
前記上部リンク部材と前記幕板取付部とが対向して配置され、前記幕板取付部における前記上部リンク部材と対向する側に前記保持部が設けられるとともに、前記上部リンク部材における前記幕板取付部と対向する側に前記保持部に保持される被保持軸が設けられていることを特徴としている。
この特徴によれば、保持部は被保持軸を保持するだけの大きさに形成されればよく、保持部は上部リンク部材に対して小さい形状とすることができる。
【０００８】
本発明の請求項３に記載の幕板付き折り畳みテーブルは、請求項２に記載の幕板付き折り畳みテーブルであって、
前記幕板には、正面側に向かって枢支片が延設されており、該枢支片は、前記上部リンク部材に前記被保持軸と同一軸心上で枢支されることを特徴としている。
この特徴によれば、幕板付き折り畳みテーブルの使用位置と折り畳み位置とを切り換える際に、枢支片と被保持軸が異なる軸心上で枢支されていることによる軸心の軌跡の相違によって、被保持軸が保持部から脱落してしまうことを防止することができる。
【０００９】
本発明の請求項４に記載の幕板付き折り畳みテーブルは、請求項３に記載の幕板付き折り畳みテーブルであって、
前記枢支片は、前記上部リンク部材に形成されて該枢支片と略同一の幅寸法を有する溝部内に挿通枢支されていることを特徴としている。
この特徴によれば、幕板の上方位置及び下方位置を、枢支片が溝部内で幅方向の移動を規制されることによって、枢支片が幅方向にずれてしまうことを防ぐことができる。
【発明を実施するための最良の形態】
【００１０】
本発明に係る幕板付き折り畳みテーブルを実施するための最良の形態を実施例に基づいて以下に説明する。
【実施例】
【００１１】
本発明の実施例を図面に基づいて説明すると、先ず図１は、本発明の実施例における折り畳みテーブルの全体像を示す斜視図であり、図２は、折り畳みテーブルの折り畳み位置を示す側面図であり、図３は、折り畳みテーブルの使用位置を示す側面図であり、図４は、折り畳みテーブルの幕板の下方位置を示す側面図であり、図５（ａ）は、幕板上部ステーを示す平面図であり、図５（ｂ）は、幕板上部ステーを示す側面図であり、図５（ｃ）は、幕板上部ステーを示す正面図であり、図６（ａ）は、吊り材を示す斜視図であり、図６（ｂ）は、吊り材を示す側面図であり、図７は、ラッチを示す斜視図であり、図８は、上部ステーを示す斜視図であり、図９は、図５（ｂ）における幕板上部ステーのＡ−Ａ断面図であり、図１０（ａ）は、幕板が上方位置であるときの幕板上部ステーを示す側面図であり、図１０（ｂ）は、幕板が下方位置であるときの幕板上部ステーを示す側面図である。以下、図２から図４の紙面右側を折り畳みテーブルの正面側とし、図５（ａ）、図５（ｂ）、図６（ｂ）の紙面左側を幕板上部ステーの正面側とし、図５（ｃ）の紙面奥側を幕板上部ステーの正面側とし、図９の紙面手前側を幕板上部ステーの正面側として説明する。
【００１２】
図１の符号１は、本発明の適用された折り畳みテーブルである。この折り畳みテーブル１は、図１から図３に示すように、天板２と、この天板２の下方の左右端に配置されて、天板２を下方から支持するための一対の脚体３と、を有している。これら脚体３には、上部に前後方向に延びる天板支持ブラケット４と、下部に前後方向に延びる基部ブラケット５と、を有している。これら天板支持ブラケット４と基部ブラケット５とは、上下方向に延びる柱体６を介して互いに接続されている。
【００１３】
天板支持ブラケット４は、天板２が略水平をなす使用位置（図３参照）と、天板２が脚体３の後方で上面を背面側に向けて略垂直をなす折り畳み位置（図２参照）と、の間で回動可能としている。また、天板支持ブラケット４の外側には、折り畳みテーブル１を使用位置と、折り畳み位置と、で切り換えるための操作レバー７が取り付けられている。
【００１４】
この操作レバー７は、天板支持ブラケット４内の折り畳みテーブル１を使用位置または折り畳み位置で固定するための図示しないロック機構に接続されており、使用者が操作レバーを操作することによって、ロック機構による折り畳みテーブル１の使用位置及び折り畳み位置における固定状態が解除されるようになっている。
【００１５】
このため、使用者は、操作レバー７を操作することによって、折り畳みテーブル１の使用位置と折り畳み位置とを切り換えることができる。更に、基部ブラケット５の前端部及び後端部には、床面に設置されるキャスター８が取り付けられており、使用者は、折り畳みテーブル１を床面上で自在に移動させることができる。尚、特に図示しないが、折り畳みテーブル１は、折り畳み位置とすることで、複数の折り畳みテーブル１を近接させて収納できるようになっている。
【００１６】
両天板支持ブラケット４の前部には、荷受板９が取り付けられている。この荷受板９と天板２と両天板支持ブラケット４とによって、天板２の下方で正面側に開口する収納空間１０を形成しており、テーブル１の使用者は、この収納空間１０内に鞄等の荷物を収納可能となっている。
【００１７】
また、両天板支持ブラケット４の後部には、配線ダクト１１が取り付けられている。この配線ダクト１１は、天板２上でノートＰＣ等の端末機器１２等を使用する際に、図示しない電源に接続された電源タップ１３等を内部に載置可能となっている。天板２上の端末機器１２は、配線ダクト１１上に挿通させた電源コード１４を電源タップ１３に接続させることにより電力を得るようになっている。
【００１８】
更に、配線ダクト１１の背面側には、脚体３の背面側を覆う幕板１５が設けられている。この幕板１５は、床面に対して略垂直をなして天板２との間の上下寸法がＬ１となる上方位置と、上方位置から下方に揺動されて天板２との間の上下寸法がＬ１よりも大きくなるＬ２（Ｌ２＞Ｌ１）となる下方位置と、で切り換え可能となっている。つまり幕板１５が上方位置にあるときには、幕板１５と天板２との間が狭くなり、幕板１５が下方位置にあるときには、幕板１５と天板２との間が広くなる。
【００１９】
この幕板１５を下方位置とすることで、使用者は天板２と幕板１５との間から手を入れて、配線ダクト１１上の電源タップ１３に天板２上に載置された端末機器１２の電源コード１４を接続する等の配線作業が容易に行えるようになっている。
【００２０】
以下、この幕板１５の上方位置と下方位置との切り換えについて説明する。図３に示すように、幕板１５の正面側には、その上部の左右端に幕板上部ステー１６が取り付けられている。この幕板上部ステー１６は、前部が上方に向けて延設された略Ｌ字形状に形成されており、その上端部は天板２の下面に取り付けられている。
【００２１】
また、幕板１５の正面側における下部の左右には、下部リンク部材１７が取り付けられている。この下部リンク部材１７は、一端を幕板１５側に枢支されて前後方向に回動可能となっている棒材であり、他端を柱体６の内側に前後方向に回動可能に枢支されている。
【００２２】
図４及び図５（ａ）〜図５（ｃ）に示すように、幕板上部ステー１６は、側面視で略Ｌ字形状に形成された本発明における幕板取付部としての吊り材１８と、吊り材１８の下部に前後方向に回動可能に枢支される上部ステー１９と、上部ステー１９の上部とに枢支されて幕板１５の正面に取り付けられる取付具２０と、上部ステー１９を吊り材１８に保持するための本発明における保持部としてのラッチ２１と、から構成されている。このうち、吊り材１８と上部ステー１９と取付具２０とは、ポリアミド系樹脂等により構成されており、ラッチ２１は、ポリアセタール樹脂等の耐衝撃性、弾性率、摺動特性に優れた樹脂により構成されている。
【００２３】
図６（ａ）及び図６（ｂ）に示すように、吊り材１８は、前後方向を向く前後片１８ａと前後片の前端部から上方に向く上下片１８ｂとから構成されており、側面視で略Ｌ字形状に形成されている。上下片１８ｂの上端部には、上面が平坦に形成された当接部１８ｃが形成されている。この当接部１８ｃは、図５（ｃ）に示すように、正面視で略Ｔ字形状に形成されており、上下方向に貫通する螺子孔１８ｉが複数穿設されている。このため、吊り材１８は、当接部１８ｃを天板２下面に当接させた状態で、螺子孔１８ｉから図示しない螺子を螺着させることで、吊り材１８が天板２に取り付けられる（図１０（ａ）参照）。
【００２４】
尚、上下片１８ｂは、その上端部の後部から正面側に向けて傾斜をなして形成されており、上下片１８ｂと前後片１８ａとの間には、略三角形状の配線横送り用スペース１８ｄが形成されている。電源タップ１３に対する配線は、この配線横送り用スペース１８ｄを通過して床面に垂れ下げられて、床面を伝って図示しない電源まで延設されている。
【００２５】
図６（ａ）及び図６（ｂ）に示すように、前後片１８ａの後端部の上部には、左右方向を向く上部貫通孔１８ｅが穿設されている。この上部貫通孔１８ｅは、後述するラッチ２１を挿嵌可能となっている。上部貫通孔１８ｅの下方には、ラッチ２１を下方から支持するための支持突部１８ｇが外側方に向けて突設されている。
【００２６】
前後片の後端部の下部には、左右方向を向く下部貫通孔１８ｆが穿設されている。この下部貫通孔１８ｆは、後述する上部ステー１９を吊り材１８に対して枢支するための枢軸２２を挿通可能となっている（図９参照）。また、下部貫通孔１８ｆの外側方側の周縁前部には、係止突部１８ｈが突設されている。この係止突部１８ｈは、下部貫通孔１８ｆと同心円上において側面視で略扇形に形成されている。
【００２７】
図６（ｂ）に示すように、係止突部１８ｈは、下部貫通孔１８ｆの直下から前方に角度θだけ傾斜した位置から下部貫通孔１８ｆの直上にかけて形成されている。尚、本実施例における角度θは、３２．５度となっているが、角度θはおよそ２０〜４０度の範囲であればよい。
【００２８】
図７に示すように、ラッチ２１は、円盤状に形成された基部２１ａと、基部２１ａの外周縁の略全周から外側方に向かって延設された外周縁部２１ｂと、を有しており、外周縁部２１ｂの内側は上部ステー１９を保持するための保持空間２１ｃに形成されている。また、基部２１ａの内側方側には、吊り材１８の上部貫通孔１８ｅに挿嵌するための嵌合突部２１ｄが突設されている。
【００２９】
外周縁部２１ｂの背面側は、ラッチ２１の外方と保持空間２１ｃとに連通する開口２１eが形成されている。また、外周縁部２１ｂの上部と基部２１ａとの間には、開口２１eと連通するスリット部２１ｆが形成されている。このため、外周縁部２１ｂの上部は、先端を押圧されることで弾性により上下動可能なラッチ爪部２１ｇに形成されている。
【００３０】
更に、外周縁部２１ｂの下部の後部は、保持空間２１ｃから背面側に向けて下方に傾斜をなすテーパー部２１ｈに形成されている。このテーパー部２１ｈはラッチ爪部２１ｇと同じく弾性により上下動可能となっている。つまり、これらラッチ爪部２１ｇ及びテーパー部２１ｈを有する外周縁部は、本発明における弾性片に構成されている。
【００３１】
図９に示すように、ラッチ２１は、嵌合突部２１ｄを上部貫通孔１８ｅに挿嵌されることで吊り材１８に取り付けられている。更に、図５（ｃ）に示すように、テーパー部２１ｈの下方から支持突部１８ｇによって支持される。このため。ラッチ２１の嵌合突部２１ｄを軸にテーパー部２１ｈが支持突部１８ｇの方向に向かう回動は、支持突部１８ｇによって規制されている。
【００３２】
図８に示すように、上部ステー１９は、棒材である上部リンク部材１９ａから構成されている。この上部リンク部材１９ａの上端部の内側方には、円柱状の被保持軸１９ｂが突設されており、上部リンク部材１９ａの下端部には、枢軸２２が挿通可能な左右方向を向く下部貫通孔１９ｃが穿設されている。
【００３３】
下部貫通孔１９ｃの内側方側の周縁後部には、被係止突部１９ｅが突設されている。この被係止突部１９ｅは、下部貫通孔１９ｃと同心円上で、下部貫通孔１９ｃの直下から直上にかけての半円形の扇形に形成されている（図１０（ａ）参照）。そして、図９に示すように、上部ステー１９は、内側方側を吊り材１８の外側方側と対向させるとともに、吊り材１８の下部貫通孔１８ｆと、上部ステー１９の下部貫通孔１９ｃと、に枢軸２２を挿通させることで、上部ステー１９は吊り材１８に枢着される。
【００３４】
尚、図１０（ａ）及び図１０（ｂ）に示すように、上部ステー１９の枢軸２２周りの正面側への回動は、係止突部１８ｈと被係止突部１８ｈとが下部貫通孔１８ｆ，１９ｃの上部で当接することにより規制されている。そして、上部ステー１９の枢軸２２周りの背面側への回動は、上部ステー１９が背面側に角度θをなして回動すると、係止突部１８ｈと被係止突部１８ｈとが当接するため、上部ステー１９の背面側への回動は角度θをなす位置で規制されている（図６（ｂ）参照）。
【００３５】
図５（ａ）〜図５（ｃ）及び図８に示すように、上部リンク部材１９ａの上端部には、左右方向の略中央から下方に向けて溝部１９ｆが形成されており、正面視で上向きコ字状に形成されている。上部リンク部材１９ａの外側方における上部には、溝部１９ｆと上部リンク部材１９ａの外側方とを連通させる上部貫通孔１９ｄが穿設されている。
【００３６】
図９に示すように、上部リンク部材１９ａの外側方から枢軸２３を挿通可能となっている。また、溝部１９ｆの上部貫通孔１９ｄを対向する内側方には、上部貫通孔１９ｄから挿通された枢軸２３を水平に保持し、前後方向に回動自在とするための軸受部１９ｇが形成されている。
【００３７】
取付具２０は、幕板１５の正面に取り付けられる取付板２０ａを有している。この取付板２０ａは、正面視で長方形状に形成されており、四隅には螺子孔２０ｂが穿設されている（図５（ｃ）参照）。これら螺子孔２０ｂから螺子を幕板１５に螺着することにより、取付板２０ａは幕板１５に取り付けられる。取付板２０ａの上部の左右方向略中央には、正面側に向かって枢支片２０ｃが延設されている。また、図９に示すように、枢支片２０ｃの前端部には、上部貫通孔１９ｄと同径の左右方向を向く枢支孔２０ｄが穿設されており、枢軸２３を挿通可能となっている。
【００３８】
更に、枢支片２０ｃは、溝部１９ｆと同一の左右幅に形成されており、溝部１９ｆ内に前端部を配置した状態で、上部貫通孔１９ｄから枢支孔２０ｄを介して軸受部１９ｇに枢軸２３を挿通させることによって、上部リンク部材１９ａに前後回動可能に枢支される。
【００３９】
尚、図９に示すように、枢軸２３と枢支孔２０ｄと被保持軸１９ｂとラッチ２１と上部貫通孔１８ｅとは、中心が同一軸心上に配置されている（図９中一点鎖線）。このように幕板上部ステー１６を構成することで、本実施例では吊り材１８にて上部リンク部材１９ａによる幕板１５の枢支と、幕板１５の上方位置での保持を行うことができる。
【００４０】
前述したように構成された幕板上部ステー１６が取り付けられることによって、図４に示すように、幕板１５は、上部ステー１９及び下部リンク部材１７の背面側への回動によって下方位置に配置される。具体的には、図１０（ａ）に示すように、幕板１５が上方位置に配置されているときには、上部ステー１９の被保持軸１９ｂはラッチ２１の保持空間２１ｃ内に保持されている。
【００４１】
この幕板１５が上方位置に配置されている状態から使用者が幕板１５の上端部を把持し、使用者が幕板１５を背面側に力を加えることによって、上部ステー１９は被保持軸１９ｂによってラッチ爪部２１ｇを上方に押し上げながら枢軸２２周りに背面側に向けて回動する。このとき、下部リンク部材１７は上部ステー１９に追従して同方向である背面側に向けて回動する。
【００４２】
そして、図１０（ｂ）に示すように、上部ステー１９が背面側に向けて角度θだけ回動すると、係止突部１８ｈと被係止突部１８ｈとが当接することで上部ステー１９及び下部リンク部材１７の回動が停止し、幕板１５が下方位置に配置される。
【００４３】
一方、下方位置に配置された幕板１５を上方位置に配置する場合には、使用者が幕板１５の背面を正面側上方に向かって力を加えることで、上部ステー１９及び下部リンク部材１７を正面側に向けて回動させる。そして、上部ステー１９が正面側に向けて回動されることによって、被保持軸１９ｂはテーパー部２１ｈを摺動しながらラッチ爪部２１ｇ及びテーパー部２１ｈを上下方向に押圧し、保持空間２１ｃ内に配置される。
【００４４】
尚、ラッチ爪部２１ｇは被保持軸１９ｂが保持空間２１ｃ内に配置されることによって下方向きの復元力が働き、幕板１５が上方位置に配置されている状態では上部ステー１９が背面側に向けて回動しないように被保持軸１９ｂを保持空間２１ｃ内に留めるようになっている。
【００４５】
更に尚、図３に示す幕板１５が上方位置に配置されている折り畳みテーブル１の使用位置から操作レバー７を操作することによって折り畳みテーブル１を図４に示す折り畳み位置に切り換える際には、上部ステー１９は被保持軸１９ｂが保持空間２１ｃ内に保持されているため、吊り材１８及びラッチ２１に固定されている。
【００４６】
このとき、天板２が折り畳み位置に向けて回動を開始すると、吊り材１８とラッチ２１と上部ステー１９とは、枢軸２３周りに天板２と同一方向に回動を開始し、天板２に取り付けられている幕板上部ステー１６自体が柱体６に近づく方向に移動を開始する。同時に、幕板１５は、幕板上部ステー１６に柱体６に近づく方向に牽引されることで柱体６に向けて移動がなされるとともに、下部リンク部材１７が下方に向けて回動することによって下方に移動がなされ、折り畳みテーブル１が折り畳み位置となることで天板２の下方に配置される。
【００４７】
以上説明したように、本発明の実施例としての幕板付き折り畳みテーブル１にあっては、脚体３よりも背面側の天板２の下部に、背面側に向けて延設された吊り材１８を有し、幕板１５の下部は、脚体３に下部リンク部材１７を介して枢支されるとともに、幕板１５の上部は、吊り材１８の下部に上部リンク部材１９ａを介して枢支され、幕板１５は、略垂直をなして脚体３の背面側を覆う上方位置と、上方位置から下方に向けて揺動された下方位置と、で揺動自在とされており、吊り材１８の上部には、背面側に向けて開口する外周縁部２１ｂを備えるラッチ２１が配置され、ラッチ２１は上部リンク部材１９ａを背面側に向けて着脱可能に保持することによって、ラッチ２１は外周縁部２１ｂを弾性変形させることによって上部リンク部材１９ａを着脱可能とすることができるので、幕板付き折り畳みテーブル１は、幕板１５を上方位置に保持するためのロック機構等を設ける必要が無くなり、かつ吊り材１８の下部で上部リンク部材１９ａを枢支するとともに、吊り材１８の上部で上部リンク部材１９ａを保持することによる簡素な構造として幕板１５の上方位置と下方位置とを切り換えることができる。
【００４８】
また、上部リンク部材１９ａと吊り材１８とが対向して配置され、吊り材１８における上部リンク部材１９ａと対向する側にラッチ２１が設けられるとともに、上部リンク部材１９ａにおける吊り材１８と対向する側にラッチ２１に保持される被保持軸１９ｂが設けられていることによって、ラッチ２１は被保持軸１９ｂを保持するだけの大きさに形成されればよく、ラッチ２１は上部リンク部材１９ａに対して小さい形状とすることができる。
【００４９】
また、幕板１５には、正面側に向かって枢支片２０ｃが延設されており、枢支片２０ｃは、上部リンク部材１９ａに被保持軸１９ｂと同一軸心上で枢支されることによって、幕板付き折り畳みテーブル１の使用位置と折り畳み位置とを切り換える際に、枢支片２０ｃと被保持軸１９ｂが異なる軸心上で枢支されていることによる軸心の軌跡の相違によって、被保持軸１９ｂがラッチ２１から脱落してしまうことを防止することができる。
【００５０】
また、枢支片２０ｃは、上部リンク部材１９ａに形成されて枢支片２０ｃと略同一の幅寸法を有する溝部１９ｆ内に挿通枢支されていることによって、幕板１５の上方位置及び下方位置を、枢支片２０ｃが溝部１９ｆ内で幅方向の移動を規制されることによって、枢支片２０ｃが幅方向にずれてしまうことを防ぐことができる。
【００５１】
以上、本発明の実施例を図面により説明してきたが、具体的な構成はこれら実施例に限られるものではなく、本発明の要旨を逸脱しない範囲における変更や追加があっても本発明に含まれる。
【００５２】
例えば、前記実施例では、上部ステー１９とラッチ２１とを別体として説明したが、上部ステーとラッチとを、弾性を有する樹脂によって一体に形成してもよい。
【００５３】
また、前記実施例では、ラッチ２１をポリアセタール等の樹脂によって構成したが、ラッチを硬質のゴム材で構成してもよく、その場合は、保持空間内に潤滑剤を塗布することで被保持軸１９ｂとの間に摩擦が生じないようにする。
【００５４】
また、前記実施例では、幕板１５における正面側の上部の左右端部には幕板上部ステー１６を取り付け、更に、これら幕板上部ステー１６の上端部を天板２の下面に取り付けたが、幕板上部ステー１６は、幕板１５の正面側における左右幅方向の略中央に取り付けられ、上端部を天板２の下面に取り付けるようにしてもよい。
【図面の簡単な説明】
【００５５】
【図１】本発明の実施例における折り畳みテーブルの全体像を示す斜視図である。
【図２】折り畳みテーブルの折り畳み位置を示す側面図である。
【図３】折り畳みテーブルの使用位置を示す側面図である。
【図４】折り畳みテーブルの幕板の下方位置を示す側面図である。
【図５】（ａ）は、幕板上部ステーを示す平面図であり、（ｂ）は、幕板上部ステーを示す側面図であり、（ｃ）は、幕板上部ステーを示す正面図である。
【図６】（ａ）は、吊り材を示す斜視図であり、（ｂ）は、吊り材を示す側面図である。
【図７】ラッチを示す斜視図である。
【図８】上部ステーを示す斜視図である。
【図９】図５（ｂ）における幕板上部ステーのＡ−Ａ断面図ある。
【図１０】（ａ）は、幕板が上方位置であるときの幕板上部ステーを示す側面図であり、（ｂ）は、幕板が下方位置であるときの幕板上部ステーを示す側面図である。
【符号の説明】
【００５６】
１                折り畳みテーブル
２                天板
３                脚体
４                天板支持ブラケット
５                基部ブラケット
６                柱体
１５              幕板
１６              幕板上部ステー
１７              下部リンク部材
１８              吊り材（幕板取付部）
１９              上部ステー
１９ａ            上部リンク部材
１９ｂ            被保持軸
１９ｆ            溝部
２０ｃ            枢支片
２１              ラッチ（保持部）
２１ｂ            外周縁部（弾性片）
２１ｅ            開口
２１ｇ            ラッチ爪部
２１ｈ            テーパー部
２２，２３        枢軸
【図１】
2010136996.tif 000003
【図２】
2010136996.tif 000004
【図３】
2010136996.tif 000005
【図４】
2010136996.tif 000006
【図５】
2010136996.tif 000007
【図６】
2010136996.tif 000008
【図７】
2010136996.tif 000009
【図８】
2010136996.tif 000010
【図９】
2010136996.tif 000011
【図１０】
2010136996.tif 000012